(57)【要約】【課題】  発光効率の向上及び低消費電力化を実現することができるプラズマディスプレイ装置及びその駆動方法を提供することを課題とする。【解決手段】  第１、第２及び第３の電極と、第１〜第３の電極の電圧印加により発生する放電に応じて発光させるための蛍光体と、第１及び第２の電極間に交番パルス（Ｖｘ，Ｖｙ）を印加することにより放電発光を行う毎に第３の電極にパルス（Ｖｚ）を印加する駆動回路とを有するプラズマディスプレイ装置が提供される。第３の電極のパルスの後縁においてその振幅の５０％の時点（ｔ１）が発光波形の最初のピークの時点（ｔ２）よりも前である。【選択図】        図９
2006208841.tif 000002
【特許請求の範囲】
【請求項１】
第１、第２及び第３の電極と、
前記第１〜第３の電極の電圧印加により発生する放電に応じて発光させるための蛍光体と、
前記第１及び第２の電極間に交番パルスを印加することにより放電発光を行う毎に前記第３の電極にパルスを印加する駆動回路とを有し、
前記第３の電極のパルスの後縁においてその振幅の５０％の時点が前記発光波形の最初のピークの時点よりも前であるプラズマディスプレイ装置。
【請求項２】
前記放電発光の際に前記第１及び第２の電極間に印加する電圧は、前記第３の電極にパルスを印加せずに第１及び第２の電極間で放電する最低電圧よりも低い電圧である請求項１記載のプラズマディスプレイ装置。
【請求項３】
前記第３の電極のパルスの後縁においてその振幅の５０％の時点は、前記第１及び第２の電極間に印加されるパルスの前縁においてその振幅の９０％の時点よりも前である請求項１記載のプラズマディスプレイ装置。
【請求項４】
前記第３の電極のパルスの立ち下がり時においてその振幅の５０％の時点は、前記第１又は第２の電極に印加されるパルスの立ち上がり時においてその振幅の９０％の時点よりも前である請求項３記載のプラズマディスプレイ装置。
【請求項５】
前記第３の電極のパルスの前縁においてその振幅の１０％の時点は、前記第１及び第２の電極間に印加されるパルスの前縁においてその振幅の１０％の時点と同時又は１００ｎｓ以内のずれを有する請求項１記載のプラズマディスプレイ装置。
【請求項６】
前記第３の電極のパルスの立ち上がり時においてその振幅の１０％の時点は、前記第１又は第２の電極に印加されるパルスの立ち上がり時においてその振幅の１０％の時点と同時又は１００ｎｓ以内のずれを有する請求項５記載のプラズマディスプレイ装置。
【請求項７】
前記第１及び第２の電極間の最短距離が２００μｍ以上である請求項１記載のプラズマディスプレイ装置。
【請求項８】
前記第１〜第３の電極は、同一基板上に設けられる請求項１記載のプラズマディスプレイ装置。
【請求項９】
前記第１〜第３の電極は、並行して設けられる請求項１記載のプラズマディスプレイ装置。
【請求項１０】
１回の連続した放電において、前記発光波形が２つ以上のピークを有する請求項１〜９のいずれか１項に記載のプラズマディスプレイ装置。
【請求項１１】
１回の連続した放電において、前記第３の電極が放電電流を正の向きに流す期間と負の向きに流す期間との両方を有する請求項１〜１０のいずれか１項に記載のプラズマディスプレイ装置。
【請求項１２】
第１、第２及び第３の電極と、前記第１〜第３の電極の電圧印加により発生する放電に応じて発光させるための蛍光体とを有するプラズマディスプレイ装置の駆動方法であって、
前記第１及び第２の電極間に交番パルスを印加することにより放電発光を行う毎に前記第３の電極にパルスを印加する駆動ステップを有し、
前記第３の電極のパルスの後縁においてその振幅の５０％の時点が前記発光波形の最初のピークの時点よりも前であるプラズマディスプレイ装置の駆動方法。
【発明の詳細な説明】
【技術分野】
【０００１】
本発明は、プラズマディスプレイ装置及びその駆動方法に関する。
【背景技術】
【０００２】
プラズマディスプレイは、大型の平面型ディスプレイであり、家庭用の壁掛けテレビとしても普及が始まっている。更なる普及のためには、発光効率の向上及び低消費電力化が要求されている。
【０００３】
下記の特許文献１には、補助電極を有するプラズマ表示パネルが記載されている。また、下記の特許文献２には、第１電極、第２電極及び第３電極を有するプラズマディスプレイパネルの駆動方法が記載されている。
【０００４】
【特許文献１】特開２０００−２５１７４６号公報
【特許文献２】特許第３５７３００５号公報
【発明の開示】
【発明が解決しようとする課題】
【０００５】
本発明の目的は、発光効率の向上及び低消費電力化を実現することができるプラズマディスプレイ装置及びその駆動方法を提供することである。
【課題を解決するための手段】
【０００６】
本発明の一観点によれば、第１、第２及び第３の電極と、第１〜第３の電極の電圧印加により発生する放電に応じて発光させるための蛍光体と、第１及び第２の電極間に交番パルスを印加することにより放電発光を行う毎に第３の電極にパルスを印加する駆動回路とを有するプラズマディスプレイ装置が提供される。第３の電極のパルスの後縁においてその振幅の５０％の時点が発光波形の最初のピークの時点よりも前である。
【発明の効果】
【０００７】
第３の電極を設けることにより、第１及び第２の電極間に印加する電圧を低電圧化することができる。また、第３のパルスのタイミングを特定の条件にすることにより、発光効率を向上させることができる。
【発明を実施するための最良の形態】
【０００８】
図１は、本発明の実施形態による４電極構造のプラズマディスプレイ装置の構成例を示す図である。制御回路２０は、Ｘ駆動回路１７、Ｙ駆動回路１８、Ｚ駆動回路２１及びアドレス駆動回路１９を制御する。Ｘ駆動回路１７は、複数のＸ電極Ｘ１，Ｘ２，・・・に所定の電圧を供給する。以下、Ｘ電極Ｘ１，Ｘ２，・・・の各々を又はそれらの総称を、Ｘ電極Ｘという。Ｙ駆動回路１８は、複数のＹ電極Ｙ１，Ｙ２，・・・に所定の電圧を供給する。以下、Ｙ電極Ｙ１，Ｙ２，・・・の各々を又はそれらの総称を、Ｙ電極Ｙという。Ｚ駆動回路２１は、奇数番目のＺ電極Ｚｏ及び偶数番目のＺ電極Ｚｅに所定の電圧を供給する。以下、Ｚ電極Ｚｏ，Ｚｅの各々を又はそれらの総称を、Ｚ電極Ｚという。アドレス駆動回路１９は、複数のアドレス電極Ａ１，Ａ２，・・・に所定の電圧を供給する。以下、アドレス電極Ａ１，Ａ２，・・・の各々を又はそれらの総称を、アドレス電極Ａという。この４電極構造は、アドレス電極Ａ、Ｘ電極Ｘ、Ｙ電極Ｙ及びＺ電極Ｚを有する。Ｚ電極Ｚは、Ｘ電極Ｘ及びＹ電極Ｙの間に設けられる。
【０００９】
プラズマディスプレイパネル１６では、Ｘ電極Ｘ、Ｚ電極Ｚ及びＹ電極Ｙが水平方向に並行に延びる行を形成し、アドレス電極Ａが垂直方向に延びる列を形成する。アドレス電極Ａは、Ｘ電極Ｘ、Ｚ電極Ｚ及びＹ電極Ｙと交差するように設けられる。Ｘ電極Ｘ、Ｚ電極Ｚ及びＹ電極Ｙは、垂直方向に交互に配置される。Ｙ電極Ｙｉ及びアドレス電極Ａｊは、ｉ行ｊ列の２次元行列を形成する。表示セルＣ１１は、Ｙ電極Ｙ１及びアドレス電極Ａ１の交点並びにそれに対応して隣接するＺ電極Ｚｏ及びＸ電極Ｘ１により形成される。この表示セルＣ１１が画素に対応する。この２次元行列により、パネル１６は２次元画像を表示することができる。Ｚ電極Ｚｏは例えばＸ電極Ｘ１及びＹ電極Ｙ１の間の放電を補助するための電極であり、Ｚ電極Ｚｅは例えばＹ電極Ｙ１及びＸ電極Ｘ２の間の放電を補助するための電極である。
【００１０】
図２は、本実施形態によるパネル１６の構造例を示す分解部分斜視図である。Ｘ電極３は、図１のＸ電極Ｘに対応する。Ｙ電極４は、図１のＹ電極Ｙに対応する。Ｚ電極２は、図１のＺ電極Ｚに対応する。アドレス電極５は、図１のアドレス電極Ａに対応する。
【００１１】
Ｘ電極３、Ｙ電極４及びＺ電極２は、前面ガラス基板１０上に形成されている。その上には、放電空間に対し絶縁するための第１の誘電体層８が被着されている。さらにその上には、ＭｇＯ（酸化マグネシウム）保護層９が被着されている。一方、アドレス電極５は、前面ガラス基板１０と対向して配置された背面ガラス基板１１上に形成される。その上には、第２の誘電体層１２が被着される。更にその上には、蛍光体１３〜１５が被着されている。隔壁６及び７の内面には、赤、青、緑色の蛍光体１３〜１５がストライプ状に各色毎に配列、塗付されている。Ｘ電極３及びＹ電極４の間の維持放電によって蛍光体１３〜１５を励起して各色が発光する。前面ガラス基板１０及び背面ガラス基板１１との間の放電空間には、Ｎｅ＋Ｘｅペニングガス（放電ガス）等が封入されている。
【００１２】
図３は、画像の１フレームＦＤの構成例を示す図である。１フレームＦＤは、第１のサブフレームＳＦ１、第２のサブフレームＳＦ２、・・・、第ｎのサブフレームＳＦｎにより形成される。このｎは、例えば１０であり、階調ビット数に相当する。サブフレームＳＦ１，ＳＦ２等の各々を又はそれらの総称を、以下、サブフレームＳＦという。
【００１３】
各サブフレームＳＦは、リセット期間Ｔｒ、アドレス期間Ｔａ及びサステイン（維持放電）期間Ｔｓにより構成される。リセット期間Ｔｒでは、表示セルの初期化を行う。アドレス期間Ｔａでは、アドレス電極Ａ及びＹ電極Ｙ間のアドレス放電により各表示セルの発光又は非発光を選択することができる。具体的には、Ｙ電極Ｙ１，Ｙ２，Ｙ３，Ｙ４，・・・等に順次スキャンパルスを印加し、そのスキャンパルスに対応してアドレス電極Ａにアドレスパルスを選択することにより、所望の表示セルの発光又は非発光を選択することができる。サステイン期間Ｔｓでは、Ｚ電極Ｚを用いて、選択された表示セルのＸ電極Ｘ及びＹ電極Ｙ間でサステイン放電を行い、発光を行う。各サブフレームＳＦでは、Ｘ電極Ｘ及びＹ電極Ｙ間のサステインパルスによる発光回数（サステイン期間Ｔｓの長さ）が異なる。これにより、階調値を決めることができる。
【００１４】
奇数フレームＦＤでは、Ｘ電極Ｘ１及びＹ電極Ｙ１間の表示セル、Ｘ電極Ｘ２及びＹ電極Ｙ２間の表示セル、Ｘ電極Ｘ３及びＹ電極Ｙ３間の表示セル、Ｘ電極Ｘ４及びＹ電極Ｙ４間の表示セル等でのサステイン放電により表示を行う。この際、Ｚ電極Ｚｏを用いてサステイン放電を行う。その後、偶数フレームＦＤでは、Ｙ電極Ｙ１及びＸ電極Ｘ２間の表示セル、Ｙ電極Ｙ２及びＸ電極Ｘ３間の表示セル、Ｙ電極Ｙ３及びＸ電極Ｘ４間の表示セル等でのサステイン放電により表示を行う。この際、Ｚ電極Ｚｅを用いてサステイン放電を行う。
【００１５】
図４（Ａ）は実験で使用した本実施形態によるＡＬＩＳ構造のプラズマディスプレイパネルの平面図であり、図４（Ｂ）は図４（Ａ）のプラズマディスプレイパネルの断面図である。Ｘ電極Ｘ１は図１の奇数番目のＸ電極Ｘ１，Ｘ３等を示し、Ｘ電極Ｘ２は図１の偶数番目のＸ電極Ｘ２，Ｘ４等を示す。Ｙ電極Ｙ１は図１の奇数番目のＹ電極Ｙ１，Ｙ３等を示し、Ｙ電極Ｙ２は図１の偶数番目のＹ電極Ｙ２，Ｙ４等を示す。前面基板４０１には、Ｘ電極Ｘ１，Ｙ２、Ｙ電極Ｙ１，Ｙ２及びＺ電極Ｚｏ，Ｚｅが設けられる。背面基板４０２には、アドレス電極４１１及び蛍光体層４１２が設けられる。
【００１６】
ＡＬＩＳ駆動では、奇数フレーム及び偶数フレームが交互に表示される。奇数フレーム及び偶数フレームは、発光する表示セルの位置が変わり、表示に持いられる電極の組み合わせが変わる。具体的には、奇数フレームにおいては、電極Ｘ１、Ｚｏ、Ｙ１が表示電極の１つの組みになり、電極Ｘ２、Ｚｏ、Ｙ２がもう１つの組みになる。このとき、Ｚ電極Ｚｅは表示電極には用いず、表示セル間の干渉を抑制するためのバリア電極として用いられる。Ｚ電極Ｚｅをバリア電極として用いる場合は、Ｚ電極Ｚｅをグランドに固定しておく。そして、フレームが偶数フレームになる場合は電極Ｙ１、Ｚｅ、Ｘ２が表示電極の１つの組みになり、電極Ｙ２、Ｚｅ、Ｘ１がもう１つの組みになる。この場合は、Ｚ電極Ｚｏがバリア電極となる。
【００１７】
図５（Ａ）は、実験に用いた電極構造を示す。Ｘ電極５００ｘは、金属電極（バス電極）５０１ｘ及びその両側に接続される透明電極（サステイン電極）５０２ｘからなる。Ｙ電極５００ｙは、金属電極（バス電極）５０１ｙ及びその両側に接続される透明電極（サステイン電極）５０２ｙからなる。Ｚ電極５００ｚは、金属電極（バス電極）５０１ｚ及びその両側に接続される透明電極（サステイン電極）５０２ｚからなる。隔壁５０３は、図２の隔壁６及び７に対応する。
【００１８】
透明電極５０２ｘ及び５０２ｙ間でサステイン放電が行われる。その透明電極５０２ｘ及び５０２ｙ間の最短距離Ｓｇは２５０μｍである。透明電極５０２ｘ及び５０２ｚ間の最短距離Ｔｇは７５μｍである。透明電極５０２ｙ及び５０２ｚ間の最短距離Ｔｇも７５μｍである。透明電極５０２ｚの最長幅Ｔｗは１００μｍである。透明電極５０２ｘ及び５０２ｙの最短幅は１００μｍである。金属電極５０１ｘ及び５０１ｙの幅は８０μｍである。
【００１９】
図６（Ａ）は実験を行ったプラズマディスプレイパネルの断面図であり、図６（Ｂ）は実験を行った奇数フレームのサステイン期間Ｔｓ（図３）における各電極の電圧波形及び放電発光波形を示す概略図である。より正確な波形図は、後に図９及び図１０を参照しながら説明する。前面基板４０１は、Ｘ電極５００ｘ、Ｙ電極５００ｙ及びＺ電極５００ｚを有する。背面基板４０２は、アドレス電極４１１及び蛍光体層４１２を有する。
【００２０】
図６（Ｂ）において、アドレス電極４１１は、０Ｖを維持する。時刻ｔ１の前では、Ｘ電極５００ｘは−８８Ｖ、Ｚ電極５００ｚは−８８Ｖ、Ｙ電極５００ｙは＋８８Ｖである。時刻ｔ１では、Ｙ電極５００ｙを＋８８Ｖから−８８Ｖに下げる。次に、時刻ｔ２では、Ｚ電極５００ｚを−８８Ｖから＋８８Ｖに上げる。すると、Ｚ電極５００ｚ及びＹ電極５００ｙ間に＋１７６Ｖが印加され、荷電粒子密度が高くなる。ただし、放電発光は未だ生じない。次に、時刻ｔ３では、Ｚ電極５００ｚを＋８８Ｖから−８８Ｖに下げ、Ｘ電極５００ｘを−８８Ｖから＋８８Ｖに上げる。すると、Ｘ電極５００ｘ及びＹ電極５００ｙ間に＋１７６Ｖが印加され、Ｘ電極５００ｘ及びＹ電極５００ｙ間で主放電が生じ、放電発光が開始する。なお、正確には、放電発光は、時刻ｔ２のわずか前から開始した。放電発光は２段階で立ち上がり、時刻ｔ４においてピーク発光が生じ、時刻ｔ５において放電発光が終了した。その後、時刻ｔ６において、Ｘ電極５００ｘを＋８８Ｖから−８８Ｖに下げる。以上の処理を繰り返すことにより、Ｘ電極５００ｘ及びＹ電極５００ｙ間でサステイン放電が生じる。Ｚ電極のパルス幅ｔ２〜ｔ３は、１００ｎｓ〜５００ｎｓが好ましい。この時の発光効率は１．９１［ｌｍ／Ｗ］であった。なお、前面基板４０１及び背面基板４０２間の放電ガスは、Ｘｅが５％、Ｈｅが３０％、残りがＮｅである。
【００２１】
図５（Ｂ）は、実験比較対象である３電極構造のプラズマディスプレイパネルの電極構造を示す図である。３電極構造は、アドレス電極Ａ、Ｘ電極Ｘ及びＹ電極Ｙを有する。図５（Ｂ）の３電極構造は、図５（Ａ）の４電極構造に比べ、Ｚ電極５００ｚを除去したものである。ただし、透明電極５０２ｘ及び５０２ｙ間に１７６Ｖを印加して放電させるには、距離Ｓｇを短くする必要がある。距離Ｓｇを１００μｍにして、実験を行った。その他の距離は、図５（Ａ）のものと同じである。図５（Ｂ）の３電極構造では、実験の結果、発光効率が１．２５［ｌｍ／Ｗ］であった。
【００２２】
図５（Ａ）の本実施形態による４電極構造は発光効率が１．９１［ｌｍ／Ｗ］であり、図５（Ｂ）の３電極構造に比べ、飛躍的に発光効率が向上した。ただし、所定の条件の場合にだけ、発光効率が向上し、所定の条件を満たさない場合には、３電極構造以上の発光効率向上はみられなかった。
【００２３】
図５（Ｂ）の３電極構造であってもサステイン放電を行うことができる。透明電極５０２ｘ及び５０２ｙ間の最短距離Ｓｇは長いほど、発光効率が向上する。しかし、距離Ｓｇを長くすると、透明電極５０２ｘ及び５０２ｙ間により高い電圧を印加しないと、透明電極５０２ｘ及び５０２ｙ間で放電せず、大きな消費電力を必要とする。
【００２４】
図５（Ａ）の４電極構造は、発光効率の向上及び低消費電力化を実現するものである。透明電極５０２ｘ及び５０２ｙ間の最短距離Ｓｇを長くすることにより、発光効率を向上させることができる。さらに、Ｚ電極５００ｚを設けることにより、透明電極５０２ｘ及び５０２ｙ間に１７６Ｖの低電圧を印加し、放電発光させることができる。４電極構造では、放電発光の際にＸ電極及びＹ電極間に印加する電圧は、Ｚ電極にパルスを印加せずにＸ電極及びＹ電極間で放電する最低電圧よりも低い電圧でよい。
【００２５】
次に、上記の実験結果の理論を説明する。本実施形態によれば、飛躍的に発光効率が向上し、低消費電力化、低コスト化及び高輝度化を図ることができる。まず、Ｘ電極５００ｘ、Ｙ電極５００ｙ及びＺ電極５００ｚに図６（Ｂ）に示す電圧を印加する場合を説明する。時刻ｔ２において、Ｙ電極５００ｙに−８８Ｖを印加し、Ｚ電極５００ｚに＋８８Ｖを印加すると、Ｚ電極５００ｚ上に電子（負電荷）、Ｙ電極５００ｙ上にイオン（正電荷）がひきつけられる。これにより、Ｚ電極５００ｚ上付近で電子密度が増大し始める。電子密度の増大が進んで、発光とＺ−Ｙ電極間放電電流が現れ始める前の、時刻ｔ３において、Ｘ電極５００ｘに＋８８Ｖを印加し、Ｙ電極５００ｙに−８８Ｖを印加し、Ｚ電極５００ｚに−８８Ｖを印加する。引き続きＺ−Ｙ電極間放電の発光が始まるが、いったん流れ始めたＺ−Ｙ電極間放電電流（Ｚ電極から正の方向に流し出す電流）は、Ｚ電極５００ｚが−８８Ｖに変化したことにより、すぐに減少し始める。同時に、Ｘ−Ｚ電極間に与えられた電位差を受けて、Ｘ電極５００ｘに電子が、Ｚ電極５００ｚにイオンがひきつけられ始める。これにより、表示セル内で更に電離が進み、電荷密度が増大する。いったんＸ−Ｚ電極間に放電電流（Ｚ電極へ負の方向に流れ込む電流）が流れるが、すぐにＸ−Ｙ電極間の長距離放電が発生し、こちらの放電が支配的となる。長距離放電では、電界勾配の平坦な陽光柱領域の発光が利用できる。陽光柱放電では、入力した電力が効率よく紫外線に変換されるので、高発光効率が得られる。上記のように、１回の連続した放電において、Ｚ電極５００ｚがガス放電電流を正の向きに流す期間と負の向きに流す期間との両方を有する。
【００２６】
以上のように、各電極に印加する電圧の正負極性が重要である。Ｘ電極（陽極）５００ｘ及びＹ電極（陰極）５００ｙ間の長距離の主放電前に、移動度が高い電子の荷電粒子密度を、長距離放電パスのどの場所で高めておくかが重要である。電子はイオンに比べ移動度が高いので、電子の荷電粒子密度をＺ電極５００ｚ上付近で高めておくことが好ましい。これは、図６（Ｂ）に示す電圧の極性により実現することができる。
【００２７】
次に、図６（Ｂ）において、Ｘ電極５００ｘ、Ｙ電極５００ｙ及びＺ電極５００ｚの電圧の正負極性を逆にする場合を説明する。すなわち、時刻ｔ２において、Ｘ電極５００ｘは＋８８Ｖ、Ｙ電極５００ｙは−８８Ｖ、Ｚ電極５００ｚは−８８Ｖである。すると、Ｚ電極５００ｚ上にイオン、Ｙ電極５００ｙ上に電子がひきつけられる。これにより、Ｙ電極５００ｙ上付近で電子密度が増大する。次に、時刻ｔ３において、Ｘ電極５００ｘが−８８Ｖ、Ｙ電極５００ｙが＋８８Ｖ、Ｚ電極５００ｚが＋８８Ｖになると、Ｙ電極５００ｙ及びＺ電極５００ｚ間の電界に対し、電子がＹ電極５００ｙ上付近にあるので、電界加速せず（電離貢献しない）、アバランシェ増大しない。すなわち、Ｚ電極５００ｚ及びＹ電極５００ｙ間の荷電粒子密度が増大しない。この結果、長距離放電させるためにＸ電極５００ｘ及びＹ電極５００ｙ間に高い電圧が必要となる。電子温度が高いので、損失が大きくなる。したがって、図６（Ｂ）に示す電圧の極性が好ましい。
【００２８】
図８は、Ｚ電極のパルス幅（半値幅）と発光効率の関係を示す実験結果のグラフである。図９は、図８の実験結果においてＺ電極のパルス幅が２００ｎｓの時にオシロスコープにより観測した各電極の電圧波形を示す図である。図１０は、図８の実験結果においてＺ電極のパルス幅が４００ｎｓの時にオシロスコープにより観測した各電極の電圧波形を示す図である。電圧ＶｘはＸ電極の電圧波形を示し、電圧ＶｙはＹ電極の電圧波形を示し、電圧ＶｚはＺ電極の電圧波形を示す。発光Ｌｍは、Ｘ電極、Ｙ電極及びＺ電極の電圧印加により発生する放電に応じた蛍光体による発光波形である。図９及び図１０において、横軸の時間は点線の１マスが２００ｎｓである。
【００２９】
Ｚ電極のパルス幅は、そのパルスの立ち上がり時を固定にし、立ち下がり時を調整することにより変化させている。Ｚ電極のパルス幅を広くしていくと、そのパルスの立ち下がりタイミングが後ろにずれていく。
【００３０】
図８において、Ｚ電極のパルス幅が２５０ｎｓ以下であれば、１．８［ｌｍ／Ｗ］以上の高い発光効率が得られ、２５０ｎｓを超えると発光効率が低下してしまう。Ｚ電極のパルスは、半値幅が１００ｎｓ以上２５０ｎｓ以下が好ましい。
【００３１】
図９では、パルス幅が２００ｎｓであり、発光効率が１．８４［ｌｍ／Ｗ］であった。Ｘ電極（第１の電極）及びＹ電極（第２の電極）間に交番パルスを印加することにより放電発光を行う毎にＺ電極（第３の電極）にパルスを印加する。その際、Ｚ電極のパルスＶｚの立ち下がり（後縁）においてその振幅の５０％の時点ｔ１が発光波形Ｌｍの最初のピークの時点ｔ２よりも前であることが好ましい。この状態において、高い発光効率を得ることができた。また、１回の連続した放電において、発光波形Ｌｍが２つ以上のピークを有する特徴がある。
【００３２】
また、Ｚ電極のパルスＶｚの立ち下がり時においてその振幅の５０％の時点ｔ１は、Ｘ電極に印加されるパルスＶｘの立ち上がり時においてその振幅の９０％の時点よりも前であることが好ましい。Ｚ電極のパルスＶｚは、正パルスが好ましいが、負パルスでもよい。また、Ｘ電極とＹ電極の電圧波形は逆であってもよい。すなわち、Ｘ電極に電圧Ｖｙを印加し、Ｙ電極に電圧Ｖｘを印加してもよい。その場合、Ｚ電極のパルスＶｚの後縁（図９の場合は立ち下がり）においてその振幅の５０％の時点ｔ１は、Ｘ電極及びＹ電極間に印加されるパルスの前縁（図９では立ち上がり）においてその振幅の９０％の時点よりも前であることが好ましい。
【００３３】
また、Ｚ電極のパルスＶｚの立ち上がり時においてその振幅の１０％の時点は、Ｘ電極に印加されるパルスＶｘの立ち上がり時においてその振幅の１０％の時点と同時又は１００ｎｓ以内のずれを有することが好ましい。Ｚ電極のパルスＶｚは、正パルスが好ましいが、負パルスでもよい。また、Ｘ電極とＹ電極の電圧波形は逆であってもよい。その場合、Ｚ電極のパルスＶｚの前縁（図９では立ち上がり）においてその振幅の１０％の時点は、Ｘ電極及びＹ電極間に印加されるパルスの前縁（図９では立ち上がり）においてその振幅の１０％の時点と同時又は１００ｎｓ以内のずれを有することが好ましい。
【００３４】
図１０では、パルス幅が４００ｎｓであり、発光効率が１．３５［ｌｍ／Ｗ］であった。Ｚ電極のパルスＶｚの立ち下がり（後縁）においてその振幅の５０％の時点ｔ１が発光波形Ｌｍの最初のピークの時点ｔ２よりも後である。この状態では、高い発光効率が得られなかった。
【００３５】
以上の実験結果より、図５（Ａ）において、Ｘ電極５０２ｘ及びＹ電極５０２ｙ間の最短距離Ｓｇは、長いほど発光効率がよく、２００μｍ以上であることが好ましい。また、Ｘ電極５０２ｘ及びＺ電極５０２ｚ間の最短距離Ｔｇ並びにＹ電極５０２ｙ及びＺ電極５０２ｚ間の最短距離Ｔｇが５０μｍ以上１５０μｍ以下であることが好ましい。
【００３６】
図７は、図６（Ａ）のプラズマディスプレイパネルに代わる他のプラズマディスプレイパネルの断面図である。Ｚ電極５００ｚは、前面基板４０１上で放電空間に露出させてもよい。このプラズマディスプレイパネルにも、本実施形態を適用することができる。
【００３７】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【００３８】
本発明の実施形態は、例えば以下のように種々の適用が可能である。
【００３９】
（付記１）
第１、第２及び第３の電極と、
前記第１〜第３の電極の電圧印加により発生する放電に応じて発光させるための蛍光体と、
前記第１及び第２の電極間に交番パルスを印加することにより放電発光を行う毎に前記第３の電極にパルスを印加する駆動回路とを有し、
前記第３の電極のパルスの後縁においてその振幅の５０％の時点が前記発光波形の最初のピークの時点よりも前であるプラズマディスプレイ装置。
（付記２）
前記放電発光の際に前記第１及び第２の電極間に印加する電圧は、前記第３の電極にパルスを印加せずに第１及び第２の電極間で放電する最低電圧よりも低い電圧である付記１記載のプラズマディスプレイ装置。
（付記３）
前記第３の電極のパルスの後縁においてその振幅の５０％の時点は、前記第１及び第２の電極間に印加されるパルスの前縁においてその振幅の９０％の時点よりも前である付記１記載のプラズマディスプレイ装置。
（付記４）
前記第３の電極のパルスの立ち下がり時においてその振幅の５０％の時点は、前記第１又は第２の電極に印加されるパルスの立ち上がり時においてその振幅の９０％の時点よりも前である付記３記載のプラズマディスプレイ装置。
（付記５）
前記第３の電極のパルスの前縁においてその振幅の１０％の時点は、前記第１及び第２の電極間に印加されるパルスの前縁においてその振幅の１０％の時点と同時又は１００ｎｓ以内のずれを有する付記１記載のプラズマディスプレイ装置。
（付記６）
前記第３の電極のパルスの立ち上がり時においてその振幅の１０％の時点は、前記第１又は第２の電極に印加されるパルスの立ち上がり時においてその振幅の１０％の時点と同時又は１００ｎｓ以内のずれを有する付記５記載のプラズマディスプレイ装置。
（付記７）
前記第１及び第２の電極間の最短距離が２００μｍ以上である付記１記載のプラズマディスプレイ装置。
（付記８）
前記第１〜第３の電極は、同一基板上に設けられる付記１記載のプラズマディスプレイ装置。
（付記９）
前記第１〜第３の電極は、並行して設けられる付記１記載のプラズマディスプレイ装置。
（付記１０）
前記第３の電極は、前記第１及び第２の電極の間に設けられる付記９記載のプラズマディスプレイ装置。
（付記１１）
さらに、前記第１〜第３の電極と交差するように設けられるアドレス電極を有する付記９記載のプラズマディスプレイ装置。
（付記１２）
前記第１及び第３の電極間の最短距離並びに前記第２及び第３の電極間の最短距離が５０μｍ以上１５０μｍ以下である付記７記載のプラズマディスプレイ装置。
（付記１３）
前記第３の電極のパルスは、正パルスである付記１記載のプラズマディスプレイ装置。
（付記１４）
前記第３の電極のパルスは、半値幅が１００ｎｓ以上２５０ｎｓ以下である付記１記載のプラズマディスプレイ装置。
（付記１５）
さらに、前記第１〜第３の電極が設けられる第１の基板と、
前記第１の基板に対向して設けられ、前記アドレス電極が設けられる第２の基板と
を有する付記１１記載のプラズマディスプレイ装置。
（付記１６）
１回の連続した放電において、前記発光波形が２つ以上のピークを有する付記１記載のプラズマディスプレイ装置。
（付記１７）
１回の連続した放電において、前記第３の電極が放電電流を正の向きに流す期間と負の向きに流す期間との両方を有する付記１記載のプラズマディスプレイ装置。
（付記１８）
第１、第２及び第３の電極と、前記第１〜第３の電極の電圧印加により発生する放電に応じて発光させるための蛍光体とを有するプラズマディスプレイ装置の駆動方法であって、
前記第１及び第２の電極間に交番パルスを印加することにより放電発光を行う毎に前記第３の電極にパルスを印加する駆動ステップを有し、
前記第３の電極のパルスの後縁においてその振幅の５０％の時点が前記発光波形の最初のピークの時点よりも前であるプラズマディスプレイ装置の駆動方法。
【図面の簡単な説明】
【００４０】
【図１】本発明の実施形態による４電極構造のプラズマディスプレイ装置の構成例を示す図である。
【図２】本実施形態によるプラズマディスプレイパネルの構造例を示す分解部分斜視図である。
【図３】画像の１フレームの構成例を示す図である。
【図４】図４（Ａ）は実験で使用した本実施形態によるＡＬＩＳ構造のプラズマディスプレイパネルの平面図であり、図４（Ｂ）は図４（Ａ）のプラズマディスプレイパネルの断面図である。
【図５】図５（Ａ）及び（Ｂ）は電極構造を示す図である。
【図６】図６（Ａ）はプラズマディスプレイパネルの断面図であり、図６（Ｂ）は各電極の電圧波形及び放電発光波形を示す図である。
【図７】他のプラズマディスプレイパネルの断面図である。
【図８】Ｚ電極のパルス幅と発光効率の関係を示す実験結果のグラフである。
【図９】Ｚ電極のパルス幅が２００ｎｓの時にオシロスコープにより観測した各電極の電圧波形を示す図である。
【図１０】Ｚ電極のパルス幅が４００ｎｓの時にオシロスコープにより観測した各電極の電圧波形を示す図である。
【符号の説明】
【００４１】
２  Ｚ電極
３  Ｘ電極
４  Ｙ電極
５  アドレス電極
６，７  縦隔壁
８  第１の誘電体層
９  保護層
１０  前面ガラス基板
１１  背面ガラス基板
１２  第２の誘電体層
１３，１４，１５  蛍光体
１６  パネル
１７  Ｘ駆動回路
１８  Ｙ駆動回路
１９  アドレス駆動回路
２０  制御回路
２１  Ｚ駆動回路
【図１】
2006208841.tif 000003
【図２】
2006208841.tif 000004
【図３】
2006208841.tif 000005
【図４】
2006208841.tif 000006
【図５】
2006208841.tif 000007
【図６】
2006208841.tif 000008
【図７】
2006208841.tif 000009
【図８】
2006208841.tif 000010
【図９】
2006208841.tif 000011
【図１０】
2006208841.tif 000012